(57)【要約】【課題】機械的に動作する設備を設置せずとも、クラゲ等の浸入を防止することができ、更にクラゲ等を処分せずとも済む沿岸構造物を提供する。【解決手段】護岸３には取水口４と放流口５が構築され、取水口４の開口面積は放流口５の開口面積よりも小さい。陸部２２には回水路１２及び取水路８が構築されている。回水路１２は、陸部２２において、取水口４から放流口５まで至っている。この回水路１２の中途部に取水路４が通じている。取水路８の流入口８１が防護網１０によって覆われ、防護網１０が傾斜した状態に設けられている。【選択図】図１
2008248570.tif 000002
【特許請求の範囲】
【請求項１】
沿岸部に設けられる取水口と、
前記沿岸部に設けられる放流口と、
前記沿岸部よりも陸側に設けられ前記取水路から前記放流口にまで至る回水路と、
前記取水口から前記放流口にかけての前記回水路の中途部に通じる取水路と、を備えることを特徴とする沿岸構造物。
【請求項２】
前記放流口の開口面積が前記取水口の開口面積よりも小さいことを特徴とする請求項１に記載の沿岸構造物。
【請求項３】
前記回水路の断面積が前記取水口から前記取水路に向かって漸減することを特徴とする請求項１又は２に記載の沿岸構造物。
【請求項４】
前記取水路が前記陸部の地中に埋設された暗渠であることを特徴とする請求項１から３の何れか一項に記載の沿岸構造物。
【請求項５】
前記回水路が、前記取水口から前記取水路に通じる部分までの流入水路と、前記取水路に通じる部分から前記放水路までの分水路と、を有し、
前記回水路に通じる前記取水路の流入口が前記分水路の下方に設けられていることを特徴とする請求項１から４の何れか一項に記載の沿岸構造物。
【請求項６】
前記取水路の流入口を覆う網材を更に備えることを特徴とする請求項１から５の何れか一項に記載の沿岸構造物。
【請求項７】
前記網材が登って傾斜するように設置されていることを特徴とする請求項６に記載の沿岸構造物。
【請求項８】
前記回水路に通じる前記取水路の流入口が前記回水路の底面で開口することを特徴とする請求項１から５の何れか一項に記載の沿岸構造物。
【請求項９】
前記回水路に通じる前記取水路の流入口を覆う網材を更に備えることを特徴とする請求項８に記載の沿岸構造物。
【請求項１０】
前記網材が水平に設置されていることを特徴とする請求項９に記載の沿岸構造物。
【請求項１１】
前記網材よりも前記取水口側において前記回水路の底面に設けられ空気を放出する空気放出部を更に備えることを特徴とする請求項６又は７に記載の沿岸構造物。
【請求項１２】
前記取水路の流入口よりも前記取水口側において前記回水路の底面に設けられ空気を放出する空気放出部を更に備えることを特徴とする請求項５に記載の沿岸構造物。
【請求項１３】
前記網材の下方に設けられ空気を放出する空気放出部を更に備えることを特徴とする請求項６、７、９、１０又は１１に記載の沿岸構造物。
【発明の詳細な説明】
【技術分野】
【０００１】
本発明は、沿岸部に設けられる沿岸構造物に関し、特に海や湖等の水域から発電所、精油所等のプラントに水を取水する取水口を備える沿岸構造物に関する。
【背景技術】
【０００２】
従来、発電所では海水を取水するための取水口が設けられている。海に浮遊したクラゲが取水口に浸入しないように、取水口の前にロータリースクリーンを設置してロータリースクリーンでクラゲを捕捉することが行われている（例えば、特許文献１参照）。また、取水口の前にプロペラ噴射機と防護網を設置し、そのプロペラ噴射機により発生した水流でクラゲを所定箇所に誘導することも行われている（例えば、特許文献２参照）。
【特許文献１】特開２０００−７３３３６号公報
【特許文献２】特開２００１−１４０２４５号公報
【発明の開示】
【発明が解決しようとする課題】
【０００３】
しかし、ロータリースクリーンやプロペラ噴射機を正常に動作させるために、維持管理が必要であることが問題になっている。また、ロータリースクリーンに捕捉されたクラゲや、プロペラ噴射機で誘導されたクラゲを廃棄・処分しなければならず、クラゲの廃棄・処分もコスト面や自然保護の観点から問題である。
そこで、本発明は、機械的に動作する設備を設置せずとも、クラゲ等の浸入を防止することができ、更にクラゲ等を処分せずとも済む沿岸構造物を提供することを目的とする。
【課題を解決するための手段】
【０００４】
以上の課題を解決するため、請求項１に係る発明は、沿岸構造物において、沿岸部に設けられる取水口と、前記沿岸部に設けられる放流口と、前記沿岸部よりも陸側に設けられ前記取水路から前記放流口にまで至る回水路と、前記取水口から前記放流口にかけての前記回水路の中途部に通じる取水路と、を備えることを特徴とする。
【０００５】
請求項２に係る発明は、請求項１に記載の沿岸構造物において、前記放流口の開口面積が前記取水口の開口面積よりも小さいことを特徴とする。
【０００６】
請求項３に係る発明は、請求項１又は２に記載の沿岸構造物において、前記回水路の断面積が前記取水口から前記取水路に向かって漸減することを特徴とする。
【０００７】
請求項４に係る発明は、請求項１から３の何れか一項に記載の沿岸構造物において、前記取水路が前記陸部の地中に埋設された暗渠であることを特徴とする。
【０００８】
請求項５に係る発明は、請求項１から４の何れか一項に記載の沿岸構造物において、前記回水路が、前記取水口から前記取水路に通じる部分までの流入水路と、前記取水路に通じる部分から前記放水路までの分水路と、を有し、前記回水路に通じる前記取水路の流入口が前記分水路の下方に設けられていることを特徴とする。
【０００９】
請求項６に係る発明は、請求項１から５の何れか一項に記載の沿岸構造物において、前記取水路の流入口を覆う網材を更に備えることを特徴とする。
【００１０】
請求項７に係る発明は、請求項６に記載の沿岸構造物において、前記網材が登って傾斜するように設置されていることを特徴とする。
【００１１】
請求項８に係る発明は、請求項１から５の何れか一項に記載の沿岸構造物において、前記回水路に通じる前記取水路の流入口が前記回水路の底面で開口することを特徴とする。
【００１２】
請求項９に係る発明は、請求項８に記載の沿岸構造物において、前記回水路に通じる前記取水路の流入口を覆う網材を更に備えることを特徴とする。
【００１３】
請求項１０に係る発明は、請求項９に記載の沿岸構造物において、前記網材が水平に設置されていることを特徴とする。
【００１４】
請求項１１に係る発明は、請求項６又は７に記載の沿岸構造物において、前記網材よりも前記取水口側において前記回水路の底面に設けられ空気を放出する空気放出部を更に備えることを特徴とする。
【００１５】
請求項１２に係る発明は、請求項５に記載の沿岸構造物において、前記取水路の導入口よりも前記取水口側において前記回水路の底面に設けられ空気を放出する空気放出部を更に備えることを特徴とする。
【００１６】
請求項１３に係る発明は、請求項６、７、９、１０又は１１に記載の沿岸構造物において、前記網材の下方に設けられ空気を放出する空気放出部を更に備えることを特徴とする。
【発明の効果】
【００１７】
請求項１に係る発明によれば、発電所、精油所等のプラント等への水の取り込みによって、沿岸部の外の水域から取水口を通って取水路に向かう水流が発生する。このような水流によって回水路に流れ込んだ水は、取水路のみに流れ込むわけではなく、回水路を回って放流口から水域へ放出される。そのため、クラゲ等の浮遊物も回水路を回って水域に戻されるから、浮遊物を処分する必要がなくなる。また、浮遊物が回水路を回って水域に戻されるので、取水路への浮遊物の流れ込みを抑えることができる。また、ロータリースクリーンやプロペラ噴射機といった機械動作する機器を設置しなくても済み、維持管理費・ランニングコストの大幅な節減をすることができる。
【００１８】
請求項２に係る発明によれば、放流口の開口面積が取水口の開口面積よりも小さいので、水域からの波の浸入によるエネルギーに水頭差が生じ、取水口から回水路に流れ込んだ水が放流口へと流れる。そのため、クラゲ等の浮遊物も水域に戻されるから、浮遊物を処分する必要がなくなり、取水路への浮遊物の流れ込みを抑えることができ、更に維持管理費・ランニングコストの大幅な節減をすることができる。
【００１９】
請求項３に係る発明によれば、回水路の断面積が取水口から取水路に向かって漸減することで、回水路に流れ込む水の流速を速くすることができる。
【００２０】
請求項５に係る発明によれば、取水路の流入口が分水路の下方に設けられているため、取水口に流れ込んだ水深の浅い箇所を流れる水については分水路に流れ、深い箇所を流れる水は流入口を通って取水路に流れ込む。そのため、水に浮遊した浮遊物が取水路に流れ込みにくく、分水路に流れ込みやすい。そのため、クラゲ等の浮遊物が水域に戻される。
【００２１】
請求項６に係る発明によれば、取水路の流入口が網材によって覆われているので、水が取水路へ流れ込むが、取水路への浮遊物の浸入を止めることができる。
【００２２】
請求項７に係る発明によれば、網材が流入口の上方の分水路に向かって登って傾斜するよう設置されているので、網材により取水路に流れ込まなかった浮遊物が分水路へと誘導される。そのため浮遊物による網材への目詰まりが抑えられ、網材を長期間使用することができる。
【００２３】
請求項８に係る発明によれば、取水路が回水路の底面に通じているので、取水口に流れ込んだ水中の浮遊物が取水路に流れ込みにくい。そのため、浮遊物も外の水域に戻される。
【００２４】
請求項９に係る発明によれば、取水路の流入口が網材によって覆われているので、水が取水路へ流れ込むが、取水路への浮遊物の浸入を防止することができる。
【００２５】
請求項１１に係る発明によれば、空気放出部が網材よりも取水口側において回水路の底面に設けられているので、空気放出部から放出された空気の浮上によって浮遊物が網に捕捉されることを防止することができる。
【００２６】
請求項１２に係る発明によれば、空気放出部が取水路の流入口よりも取水口側において回水路の底面に設けられているので、空気放出部から放出された空気によって浮遊物が浮上して分水路に流れ込みやすくなる。
【００２７】
請求項１３に係る発明によれば、網材の下方に設けられた空気放出部から空気が放出されるとによって、空気放出部の上方の網体に浮遊物が捕捉されることを防止することができる。
【発明を実施するための最良の形態】
【００２８】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２９】
＜第１の実施の形態＞
図１は、本発明の第１の実施形態における沿岸構造物１を示した斜視図であり、図２は、図１に示されたII−IIの矢視断面図である。
【００３０】
図１、図２に示すように、護岸構造物としてのケーソン２が水底に沈められて沿岸部に沿って縦列されるよう構築され、ケーソン２による護岸３が構築されている。なお、ケーソン２が設置される沿岸は海・河川・湖の何れの沿岸であっても良い。
【００３１】
護岸３には取水口４と放流口５が構築され、放流口５がケーソン２を水域２１から陸部２２へ貫通し、放流口５はケーソン２を陸部２２から水域２１へ貫通している。取水口４の上端が水域２１の朔望平均干潮面よりも下方になるよう、取水口４が構築されている。放流口５の上端が朔望平均干潮面よりも上にあり、放流口５の下端が朔望平均干潮面よりも下にある。そして、放流口５の下端が取水口４の下端よりも深い位置になるよう、取水口４及び放流口５が構築されている。
【００３２】
陸部２２には、回水路１２及び取水路８が構築されている。回水路１２は、陸部２２において、取水口４から放流口５まで至っている。この回水路１２は、上空より見て弓なり状に湾曲している。回水路１２が溝状に設けられており、回水路１２がグレーチング、床版等によって覆われている。
【００３３】
取水路８の流入口８１が取水口４から放流口５にかけての回水路１２の中途部に設けられ、取水路８がその回水路１２の中途部に通じている。ここで、回水路１２は、取水口４から取水路８の流入口８１までの区域となる導入水路６と、その流入口８１から放流口５までの区域となる分水路７に区分けされる。
【００３４】
分水路７及び導入水路６の両側の壁の高さは朔望平均満潮面よりも高い。また、分水路７の底面及び導入水路６の底面は共に朔望平均干潮面よりも低い位置にあり、分水路７の底面が導入水路６の底面よりも高い位置にあり、導入水路６の深さが分水路７の深さよりも深い。このように回水路１２の底部は、導入水路６の底面と分水路７の底面とによって二段になっている。
【００３５】
導入水路６の幅が取水口４から取水路８の流入口８１に向かって漸減し、これにより、導入水路６の断面積も取水口４から取水路８の流入口８１に向かって漸減している。なお、分水路７の底面は、導入水路６側から放流口５側に向かって徐々に高くなっても良いし、導入水路６側から放流口５側に向かって徐々に低くなっても良いし、導入水路６側から放流口５側にかけて均一の高さにあっても良い。
【００３６】
取水路８は陸部２２の地中に埋設されたボックスカルバートであり、この取水路８が分水路７の下方に設置されている。取水路８の流入口８１が分水路７よりも下方において回水路１２の中途部で開口し、この流入口８１は、取水口４との間に導入水路６をおいて、取水口４の対向位置に設置されている。取水路８は、流入口８１とは反対側において他端が発電所、精油所その他のプラントに通じている。また、陸部２２に立坑９が掘削され、立坑９が取水路８の中途部に通じ、取水路８内の空気が立坑９から地上へ放出され、プラントから送られる水への空気の巻き込みを防止する。なお、取水路８の断面積は、プラント運転に必要な水量により決定される。
【００３７】
導入水路６に通じる取水路８の流入口８１が防護網１０によって覆われ、防護網１０が張った状態に設けられている。この防護網１０は上方の分水路７に向かって登って傾斜するように設置されている。つまり、防護網１０は、下から上に向かうにつれて取水口４から離れて分水路７に近づくように傾斜する。
【００３８】
取水路８の流入口８１よりも取水口４側であって導入水路６の底面には、複数の空気放出管１１が導入水路６の幅方向に設置されている。これら空気放出管１１のなかには、防護網１０よりも取水口４側に配置されたものと、防護網１０よりも取水路８側であって防護網１０の下方に配置されたものとがある。空気放出管１１には複数の空気放出孔が形成され、図示しないコンプレッサによって圧縮空気がこれら空気放出管１１に送られると、空気放出管１１の空気放出孔から気泡が放出される。防護網１０の下方に配置された空気放出管１１から放出された空気は、浮上して防護網１０を通過する。
【００３９】
以上のように構築された沿岸構造物１においては、発電所、精油所その他のプラントによって水が取り込まれると、水域２１から取水口４及び導入水路６を通って取水路８に向かう水流が発生する。このような水流によって導入水路６に流れ込んだ水は、取水路８のみならず、分水路７にも流れ込む。分水路７に流れ込んだ水は分水路７を通って放流口５から水域２１へ放出される。一方、取水路８に流れ込んだ水は発電所、精油所その他のプラントに流れる。このように取水路８へ流れ込む水流を利用して、分水路７へ流れ込む水流を生じさせることができる。
【００４０】
取水路８へ流れ込む水流のみならず、水域２１の波によっても、分水路７へ流れ込む水流が生じる。つまり、放流口５の開口面積が取水口４の開口面積よりも小さいので、水域２１からの波の浸入によるエネルギーに水頭差が生じ、取水口４より分水路７に流れ込んだ水が放流口５へと流れる。
【００４１】
水流により取水口４に入り込んだ浮遊物（例えば、クラゲ）は空気放出管１１から放出された気泡によって水面方向へ押し上げられ、分水路７に流れ込む。特に、防護網１０が傾斜しているので、浮遊物が防護網１０によって分水路６へ誘導される。分水路７に流れ込んだ浮遊物は放流口５から水域２１へ放出される。
【００４２】
また、取水路８に流れ込もうとした浮遊物は防護網１０によって捕捉されて取水路８に流れ込まない上、防護網１０の下方の空気放出管１１から放出された気泡が浮上して防護網１０を通過することによって、防護網１０に捕捉された浮遊物が気泡と共に浮上する。
【００４３】
以上のように本実施形態によれば、導入水路６から分水路７と取水路８に分岐しているため、取水路８に向かう水流を利用して、導入水路６から分水路７へ流れ込む水流も生じる。そして、分水路７が放流口５を介して水域２１に通じているので、分水路７に流れ込んだ水とともにクラゲ等の浮遊物を水域２１に戻すことができる。更に、放流口５の開口面積が取水口４の開口面積よりも小さいので、波のエネルギーを利用して、導入水路６から分水路７へ流れ込む流速を更に速くすることができ、浮遊物を確実に水域２１に戻すことができる。導入水路６の断面積が取水口４から取水路８の流入口８１に向かって漸減しているので、波によって分水路７や取水路８に流れ込む流速が速くなる。
【００４４】
また、取水路８へ浮遊物が入らないようにするためのジェット噴流装置等といった特別な機器類を使用する必要がなく、維持管理費・ランニングコストの大幅な節減が可能である。また、取水口４に入り込んだ浮遊物をそのまま水域２１に戻しているので、浮遊物の処理・処分が必要なくなり、維持管理費を節減でき、浮遊物が生物である場合には自然保護に繋がる。
【００４５】
また、防護網１０の傾きによって浮遊物が防護網１０に捕捉されにくく分水路７へと流れ込みやすい。更に、空気放出管１１から放出された気泡によって、浮遊物が防護網に捕捉されにくく、防護網１０の目詰まりを防止することができる。また、防護網１０に浮遊物が捕捉されたものとしても、防護網１０の下方に設置された空気放出管１１から放出された気泡によって、捕捉された浮遊物が防護網１０から取り除かれる。そのため、防護網１０を長期使用することができる。
【００４６】
＜第２の実施の形態＞
図３、図４を用いて第２の実施の形態における沿岸構造物１０１について説明する。図３は、沿岸構造物１０１を示した斜視図であり、図４は、図３に示されたIV−IVの矢視断面図である。なお、図１、図２に示された沿岸構造物１の構成要素とそれに対応する沿岸構造物１０１の構成要素とについては、同一の符号を付す。
【００４７】
図１、図２に示された沿岸構造物１では、取水路８の流入口８１が、分水路７の下方において取水口４に相対する位置で開口し、更に、回水路１２の底部が導入水路６の底面と分水路７との底面によって二段状に構築されている。それに対し、図３、図４に示された沿岸構造物１０１では、以下のように設けられている点で、沿岸構造物１０１と沿岸構造物１が異なる。
【００４８】
即ち、図３、図４の沿岸構造物１０１では、取水路８の流入口８１が、回水路１２の底面で開口し、この流入口８１を覆った防護網１０が回水路１２の底面において水平に設置されている。具体的には、流入口８１は導入水路６の底面と分水路７の底面との境界に設けられている。また、分水路７の底面は流入口８１側から放流口５にかけて登り斜面となっている。そして、分水路７のうち流入口８１側の端における深さは、導入水路６の底面のうち流入口８１側の端における深さに等しい。
【００４９】
また、複数の空気放出管１１は取水路８における流入口８１の下方に設けられている。つまり、複数の空気放出管１１が防護網１０の下方に設けられているので、空気放出管１１から放出された空気が浮上して防護網１０を通過する。そのため、浮遊物が防護網１０に捕捉されにくい上、防護網１０に捕捉された浮遊物も取り除かれる。そのため、防護網１０の目詰まりを防止することができる。
【００５０】
上述のように説明したことを除いて、図３、図４に示された沿岸構造物１０１と図１、図２に示された沿岸構造物１との間で互いに対応する部分は同様に設けられている。
【００５１】
なお、本発明は上記実施形態に限定されることなく、本発明の主旨を逸脱しない範囲において上記実施形態について種々の改良及び設計の変更をおこなっても良い。
【図面の簡単な説明】
【００５２】
【図１】本発明の第一実施形態における沿岸構造物を示した斜視図である。
【図２】上記沿岸構造物の縦断面を示した断面図である。
【図３】本発明の第二実施形態における沿岸構造物を示した斜視図である。
【図４】第二実施形態における沿岸構造物の縦断面を示した断面図である。
【符号の説明】
【００５３】
１  沿岸構造物      
３  岸壁      
４  取水口      
５  放流口      
６  導入水路      
７  分水路      
８  取水路      
１０  防護網      
１１  空気放出管      
１２  回水路      
２１  水域      
２２  陸部      
８１  流入口
【図１】
2008248570.tif 000003
【図２】
2008248570.tif 000004
【図３】
2008248570.tif 000005
【図４】
2008248570.tif 000006